【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信することと、
前記ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定することと
を備える、方法。
【請求項２】
同じＴＡオフセット値が、ＰＵＣＣＨを搬送する１次セル（Ｐｃｅｌｌ）または２次セル（Ｓｃｅｌｌ）において通信するために使用されるすべてのＣＣのために使用される、請求項１に記載の方法。
【請求項３】
１次セル（Ｐｃｅｌｌ）において通信するために使用される少なくとも１つのＣＣがＰＵＣＣＨを搬送し、
前記決定することが、前記Ｐｃｅｌｌにおいて通信するために使用される前記少なくとも１つのＣＣのシステムタイプに基づいて、前記ＴＡオフセット値を決定することを備える、
請求項１に記載の方法。
【請求項４】
前記ＴＡオフセット値は、前記Ｐｃｅｌｌにおいて通信するために使用される前記ＣＣの前記システムタイプがＦＤＤである場合、ゼロの値であると決定され、または
前記ＴＡオフセット値は、前記Ｐｃｅｌｌにおいて通信するために使用される前記ＣＣの前記システムタイプがＴＤＤである場合、アップリンクサブフレームとダウンリンクサブフレームとの間で切り替えるための切替えギャップに適応する正の値であると決定される、
請求項３に記載の方法。
【請求項５】
１次セル（Ｐｃｅｌｌ）において通信するために使用される少なくとも１つのＣＣおよび２次セル（Ｓｃｅｌｌ）において通信するために使用される少なくとも１つのＣＣが、ＰＵＣＣＨを搬送する、請求項１に記載の方法。
【請求項６】
前記決定することが、前記Ｐｃｅｌｌにおいて通信するために使用される前記少なくとも１つのＣＣのシステムタイプに基づいて、前記ＴＡオフセット値を決定することを備える、請求項５に記載の方法。
【請求項７】
前記Ｐｃｅｌｌにおいて通信するために使用される少なくとも１つのＣＣがＰＵＣＣＨを搬送し、
前記Ｓｃｅｌｌにおいて通信するために使用される少なくとも１つのＣＣもまたＰＵＣＣＨを搬送し、
第１のＴＡオフセット値が、前記Ｐｃｅｌｌにおいて通信するために使用されるＣＣのために使用され、
第２のＴＡオフセット値が、前記Ｓｃｅｌｌにおいて通信するために使用されるＣＣのために使用される、
請求項５に記載の方法。
【請求項８】
前記少なくとも１つのＦＤＤ  ＣＣおよび前記少なくとも１つのＴＤＤ  ＣＣが、同じタイミングアドバンスグループのものである、請求項１に記載の方法。
【請求項９】
ワイヤレス通信のための装置であって、
時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信するための手段と、
前記ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定するための手段と
を備える、装置。
【請求項１０】
同じＴＡオフセット値が、ＰＵＣＣＨを搬送する１次セル（Ｐｃｅｌｌ）または２次セル（Ｓｃｅｌｌ）において通信するために使用されるすべてのＣＣのために使用される、請求項９に記載の装置。
【請求項１１】
１次セル（Ｐｃｅｌｌ）において通信するために使用される少なくとも１つのＣＣがＰＵＣＣＨを搬送し、
決定するための前記手段が、前記Ｐｃｅｌｌにおいて通信するために使用される前記少なくとも１つのＣＣのシステムタイプに基づいて、前記ＴＡオフセット値を決定するための手段を備える、
請求項９に記載の装置。
【請求項１２】
前記ＴＡオフセット値は、前記Ｐｃｅｌｌにおいて通信するために使用される前記ＣＣの前記システムタイプがＦＤＤである場合、ゼロの値であると決定され、または
前記ＴＡオフセット値は、前記Ｐｃｅｌｌにおいて通信するために使用される前記ＣＣの前記システムタイプがＴＤＤである場合、アップリンクサブフレームとダウンリンクサブフレームとの間で切り替えるための切替えギャップに適応する正の値であると決定される、
請求項１１に記載の装置。
【請求項１３】
１次セル（Ｐｃｅｌｌ）において通信するために使用される少なくとも１つのＣＣおよび２次セル（Ｓｃｅｌｌ）において通信するために使用される少なくとも１つのＣＣが、ＰＵＣＣＨを搬送する、請求項９に記載の装置。
【請求項１４】
前記少なくとも１つのＦＤＤ  ＣＣおよび前記少なくとも１つのＴＤＤ  ＣＣが、同じタイミングアドバンスグループのものである、請求項９に記載の装置。
【請求項１５】
実行されたときに、コンピュータに、請求項１−８のいずれか一項に記載の方法を実行させる命令を備える、コンピュータプログラム。
【手続補正２】
【補正対象書類名】明細書
【補正対象項目名】００８６
【補正方法】変更
【補正の内容】
【００８６】
[0099]開示した実施形態の上記の説明は、当業者が本開示を実施または使用できるようにするために提供したものである。これらの実施形態への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示する原理および新規の特徴に一致する最も広い範囲を与られるべきである。
以下に本願の出願当初の特許請求の範囲に記載された発明を付記する。
［Ｃ１］
ワイヤレス通信のための方法であって、
時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信することと、
前記ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定することと
を備える、方法。
［Ｃ２］
同じＴＡオフセット値が、ＰＵＣＣＨを搬送する１次セル（Ｐｃｅｌｌ）または２次セル（Ｓｃｅｌｌ）において通信するために使用されるすべてのＣＣのために使用される、Ｃ１に記載の方法。
［Ｃ３］
１次セル（Ｐｃｅｌｌ）において通信するために使用される少なくとも１つのＣＣがＰＵＣＣＨを搬送し、
前記決定することが、前記Ｐｃｅｌｌにおいて通信するために使用される前記少なくとも１つのＣＣのシステムタイプに基づいて、前記ＴＡオフセット値を決定することを備える、
Ｃ１に記載の方法。
［Ｃ４］
前記ＴＡオフセット値は、前記Ｐｃｅｌｌにおいて通信するために使用される前記ＣＣの前記システムタイプがＦＤＤである場合、ゼロの値であると決定され、または
前記ＴＡオフセット値は、前記Ｐｃｅｌｌにおいて通信するために使用される前記ＣＣの前記システムタイプがＴＤＤである場合、アップリンクサブフレームとダウンリンクサブフレームとの間で切り替えるための切替えギャップに適応する正の値であると決定される、
Ｃ３に記載の方法。
［Ｃ５］
１次セル（Ｐｃｅｌｌ）において通信するために使用される少なくとも１つのＣＣおよび２次セル（Ｓｃｅｌｌ）において通信するために使用される少なくとも１つのＣＣが、ＰＵＣＣＨを搬送する、Ｃ１に記載の方法。
［Ｃ６］
前記決定することが、前記Ｐｃｅｌｌにおいて通信するために使用される前記少なくとも１つのＣＣのシステムタイプに基づいて、前記ＴＡオフセット値を決定することを備える、Ｃ５に記載の方法。
［Ｃ７］
前記Ｐｃｅｌｌにおいて通信するために使用される少なくとも１つのＣＣがＰＵＣＣＨを搬送し、
前記Ｓｃｅｌｌにおいて通信するために使用される少なくとも１つのＣＣもまたＰＵＣＣＨを搬送し、
第１のＴＡオフセット値が、前記Ｐｃｅｌｌにおいて通信するために使用されるＣＣのために使用され、
第２のＴＡオフセット値が、前記Ｓｃｅｌｌにおいて通信するために使用されるＣＣのために使用される、
Ｃ５に記載の方法。
［Ｃ８］
前記少なくとも１つのＦＤＤ  ＣＣおよび前記少なくとも１つのＴＤＤ  ＣＣが、同じタイミングアドバンスグループのものである、Ｃ１に記載の方法。
［Ｃ９］
ワイヤレス通信のための装置であって、
時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信することと、
前記ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定することと
を行うように構成された少なくとも１つのプロセッサと、
前記少なくとも１つのプロセッサと結合されたメモリと
を備える、装置。
［Ｃ１０］
同じＴＡオフセット値が、ＰＵＣＣＨを搬送する１次セル（Ｐｃｅｌｌ）または２次セル（Ｓｃｅｌｌ）において通信するために使用されるすべてのＣＣのために使用される、Ｃ９に記載の装置。
［Ｃ１１］
１次セル（Ｐｃｅｌｌ）において通信するために使用される少なくとも１つのＣＣがＰＵＣＣＨを搬送し、
ＴＡオフセット値を決定するように構成された前記少なくとも１つのプロセッサが、Ｐｃｅｌｌにおいて通信するために使用される前記少なくとも１つのＣＣのシステムタイプに基づいて、前記ＴＡオフセット値を決定する、
Ｃ９に記載の装置。
［Ｃ１２］
前記ＴＡオフセット値は、前記Ｐｃｅｌｌにおいて通信するために使用される前記ＣＣの前記システムタイプがＦＤＤである場合、ゼロの値であると決定され、または
前記ＴＡオフセット値は、前記Ｐｃｅｌｌにおいて通信するために使用される前記ＣＣの前記システムタイプがＴＤＤである場合、アップリンクサブフレームとダウンリンクサブフレームとの間で切り替えるための切替えギャップに適応する正の値であると決定される、
Ｃ１１に記載の装置。
［Ｃ１３］
１次セル（Ｐｃｅｌｌ）において通信するために使用される少なくとも１つのＣＣおよび２次セル（Ｓｃｅｌｌ）において通信するために使用される少なくとも１つのＣＣが、ＰＵＣＣＨを搬送する、Ｃ９に記載の装置。
［Ｃ１４］
ＴＡオフセット値を決定するように構成された前記少なくとも１つのプロセッサが、前記Ｐｃｅｌｌにおいて通信するために使用される前記少なくとも１つのＣＣのシステムタイプに基づいて、前記ＴＡオフセット値を決定する、Ｃ１３に記載の装置。
［Ｃ１５］
前記Ｐｃｅｌｌにおいて通信するために使用される少なくとも１つのＣＣがＰＵＣＣＨを搬送し、
前記Ｓｃｅｌｌにおいて通信するために使用される少なくとも１つのＣＣもまたＰＵＣＣＨを搬送し、
第１のＴＡオフセット値が、前記Ｐｃｅｌｌにおいて通信するために使用されるＣＣのために使用され、
第２のＴＡオフセット値が、前記Ｓｃｅｌｌにおいて通信するために使用されるＣＣのために使用される、
Ｃ１３に記載の装置。
［Ｃ１６］
前記少なくとも１つのＦＤＤ  ＣＣおよび前記少なくとも１つのＴＤＤ  ＣＣが、同じタイミングアドバンスグループのものである、Ｃ９に記載の装置。
［Ｃ１７］
ワイヤレス通信のための装置であって、
時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信するための手段と、
前記ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定するための手段と
を備える、装置。
［Ｃ１８］
同じＴＡオフセット値が、ＰＵＣＣＨを搬送する１次セル（Ｐｃｅｌｌ）または２次セル（Ｓｃｅｌｌ）において通信するために使用されるすべてのＣＣのために使用される、Ｃ１７に記載の装置。
［Ｃ１９］
１次セル（Ｐｃｅｌｌ）において通信するために使用される少なくとも１つのＣＣがＰＵＣＣＨを搬送し、
決定するための前記手段が、前記Ｐｃｅｌｌにおいて通信するために使用される前記少なくとも１つのＣＣのシステムタイプに基づいて、前記ＴＡオフセット値を決定するための手段を備える、
Ｃ１７に記載の装置。
［Ｃ２０］
前記ＴＡオフセット値は、前記Ｐｃｅｌｌにおいて通信するために使用される前記ＣＣの前記システムタイプがＦＤＤである場合、ゼロの値であると決定され、または
前記ＴＡオフセット値は、前記Ｐｃｅｌｌにおいて通信するために使用される前記ＣＣの前記システムタイプがＴＤＤである場合、アップリンクサブフレームとダウンリンクサブフレームとの間で切り替えるための切替えギャップに適応する正の値であると決定される、
Ｃ１９に記載の装置。
［Ｃ２１］
１次セル（Ｐｃｅｌｌ）において通信するために使用される少なくとも１つのＣＣおよび２次セル（Ｓｃｅｌｌ）において通信するために使用される少なくとも１つのＣＣが、ＰＵＣＣＨを搬送する、Ｃ１７に記載の装置。
［Ｃ２２］
決定するための前記手段が、前記Ｐｃｅｌｌにおいて通信するために使用される前記少なくとも１つのＣＣのシステムタイプに基づいて、前記ＴＡオフセット値を決定するための手段を備える、Ｃ２１に記載の装置。
［Ｃ２３］
前記Ｐｃｅｌｌにおいて通信するために使用される少なくとも１つのＣＣがＰＵＣＣＨを搬送し、
前記Ｓｃｅｌｌにおいて通信するために使用される少なくとも１つのＣＣもまたＰＵＣＣＨを搬送し、
第１のＴＡオフセット値が、前記Ｐｃｅｌｌにおいて通信するために使用されるＣＣのために使用され、
第２のＴＡオフセット値が、前記Ｓｃｅｌｌにおいて通信するために使用されるＣＣのために使用される、
Ｃ２１に記載の装置。
［Ｃ２４］
前記少なくとも１つのＦＤＤ  ＣＣおよび前記少なくとも１つのＴＤＤ  ＣＣが、同じタイミングアドバンスグループのものである、Ｃ１７に記載の装置。
［Ｃ２５］
非一時的コンピュータ可読媒体であって、
コンピュータによって実行されたときに、
時分割複信（ＴＤＤ）システム構成を使用する少なくとも１つのコンポーネントキャリア（ＣＣ）と、周波数分割複信（ＦＤＤ）システム構成を使用する少なくとも１つのＣＣとに関与するキャリアアグリゲーション（ＣＡ）を使用して通信することと、
前記ＣＣのうちのいずれが物理アップリンク制御チャネル（ＰＵＣＣＨ）を搬送するかに少なくとも部分的に基づいて、アップリンク送信のために使用すべきユーザ機器（ＵＥ）のためのタイミングアドバンス（ＴＡ）オフセット値を決定することと
を前記コンピュータに行わせる命令を記憶した、非一時的コンピュータ可読媒体。